(57)【要約】【課題】  運営者がホストコンピュータや結果判定のためのシステムを準備することなく、応募者も瞬時に当落の判定を知ることができるキャンペーンシステム、抽選媒体およびキャンペーン方法を提供する。【解決手段】  抽選媒体１０と、読取端末２０と、複数のＷＥＢページ４０と、を有するキャンペーンシステムであって、抽選媒体１０は、複数のＷＥＢページ４０のいずれかへリンクする抽選情報を有し、かつ、当該抽選情報を隠す隠蔽手段１２を備えており、抽選情報は、アクセス先を組み込んだダイレクトアクセスコード１３Ａを含み、読取端末２０は、抽選情報を読み取ることで複数のＷＥＢページ４０のいずれかを表示することを特徴とするキャンペーンシステム。【選択図】図１
2014157581.tif 000002
【特許請求の範囲】
【請求項１】
抽選媒体と、読取端末と、複数のＷＥＢページと、を有するキャンペーンシステムであって、
前記抽選媒体は、前記複数のＷＥＢページのいずれかへリンクする抽選情報を有し、かつ、当該抽選情報を隠す隠蔽手段を備えており、
前記抽選情報は、アクセス先を組み込んだダイレクトアクセスコードを含み、
前記読取端末は、前記抽選情報を読み取ることで前記複数のＷＥＢページのいずれかを表示することを特徴とするキャンペーンシステム。
【請求項２】
前記ダイレクトアクセスコードは、階層化二次元コードであることを特徴とする請求項１記載のキャンペーンシステム。
【請求項３】
前記抽選媒体は、ラベルであることを特徴とする請求項１記載のキャンペーンシステム。
【請求項４】
前記隠蔽手段は、隠蔽用塗料であることを特徴とする請求項１記載のキャンペーンシステム。
【請求項５】
前記隠蔽手段は、隠蔽用ラベルであることを特徴とする請求項１記載のキャンペーンシステム。
【請求項６】
アクセス先を組み込んだダイレクトアクセスコードを含む抽選情報を有し、かつ、当該抽選情報を隠す隠蔽手段を備えることを特徴とする抽選媒体。
【請求項７】
前記ダイレクトアクセスコードは、階層化二次元コードであることを特徴とする請求項６記載の抽選媒体。
【請求項８】
抽選媒体と、読取端末と、複数のＷＥＢページと、を用いるキャンペーン方法であって、
前記抽選媒体は、前記複数のＷＥＢページのいずれかへリンクする抽選情報を有し、かつ、当該抽選情報を隠す隠蔽手段を備えており、
前記抽選情報は、アクセス先を組み込んだダイレクトアクセスコードを含み、
前記抽選媒体の隠蔽手段を解除して前記抽選情報を読み取り可能にする解除工程と、
前記読取端末により、前記抽選情報を読み取って前記複数のＷＥＢページのいずれかへアクセスする読取工程と、
を有することを特徴とするキャンペーン方法。
【請求項９】
さらに、認証情報を入力する入力工程を有することを特徴とする請求項８記載のキャンペーン方法。
【発明の詳細な説明】
【技術分野】
【０００１】
本発明は、キャンペーンシステム、抽選媒体およびキャンペーン方法に関するものである。
【背景技術】
【０００２】
従来、景品等進呈型のキャンペーンでは、商品購入者に抽選券等の抽選媒体を渡して、インターネットに接続されたホストコンピュータ上に当落判定システムを構築したＷＥＢページを開設したり、景品を判定して知らせるメールシステムを構築したりすることで、当落や景品等を決定する、というような形態で応募を受け付ける例が多い（例えば、特許文献１および特許文献２を参照。）。
【０００３】
図４および図５を用いて、従来のキャンペーンシステムおよび従来のキャンペーン方法の概要について説明する。
図４は、従来のキャンペーンシステムを示す模式図である。
【０００４】
１０は、ラベルなどの抽選媒体、１１は抽選情報、１２は、隠蔽用塗料、隠蔽用ラベルなどの隠蔽手段、１３は、一次元バーコード、二次元バーコードなどのコード、１４は、シリアル番号などの認証情報、２０は、スマートフォンなどの読取端末、３０は、ホストコンピュータなどのサーバー、４０は複数のＷＥＢページ、４１は当選ページ、４２は落選ページである。
【０００５】
図４に示すように、抽選情報１１および隠蔽手段１２は抽選媒体１０を構成する。
コード１３および認証情報１４は抽選情報１１を構成する。
当選ページ４１および落選ページ４２は複数のＷＥＢページ４０を構成する。
抽選情報１１は、読取端末２０により読み取り可能である。
読取端末２０、サーバー３０および複数のＷＥＢページ４０は、インターネットなどのネットワークにより接続されている。
【０００６】
図５は、従来のキャンペーン方法を示す模式図である。
Ｓ１は解除工程、Ｓ２は読取工程、Ｓ３は入力工程、Ｓ４は判定工程、Ｓ５は結果表示である。
【０００７】
図５に示すように、まず商品購入等により抽選媒体１０を入手した応募者は、Ｓ１に示すとおり、隠蔽ラベルをめくるなどの方法により隠蔽状態を解除して抽選情報１０を読み取り可能にする（解除工程）。
【０００８】
次に、応募者は、Ｓ２に示すように、読取端末２０により抽選情報１０を読み取り、サーバー３０にアクセスする。
【０００９】
そして、応募者は、Ｓ３に示すように、サーバー３０に対して認証情報１４を入力する（入力工程）。
なお、認証番号１４は、成りすましを防ぐために、類推できないような複雑な番号を用いる必要がある。
【００１０】
次に、認証情報１４を入力されたサーバー３０は、Ｓ４に示すように、その認証情報１４に基づき、応募の当落を判定する（判定工程）。
【００１１】
そして、サーバー３０は、Ｓ５に示すように、判定の結果により当選ページ４１または落選ページ４２のいずれかを表示する（結果表示）。
【００１２】
以上のようにして、応募者は応募の結果を知ることができ、運営者はキャンペーンを行うことができる。
【先行技術文献】
【特許文献】
【００１３】
【特許文献１】特開２００１−２９７１２９号公報
【特許文献２】特開２００５−７０７３１号公報
【発明の概要】
【発明が解決しようとする課題】
【００１４】
しかしながら、このような方法は、運営者がホストコンピュータや結果判定のためのシステムを準備しなければならず、応募者もサーバーへのアクセスにより当落の判定に時間がかかるという問題点があった。
【００１５】
本発明は、このような問題に鑑みて為されたものであり、その目的とする処は、運営者がホストコンピュータや結果判定のためのシステムを準備することなく、応募者も瞬時に当落の判定を知ることができるキャンペーンシステム、抽選媒体およびキャンペーン方法を提供することにある。
【課題を解決するための手段】
【００１６】
本発明は、下記の技術的構成により、上記課題を解決するものである。
（１）抽選媒体と、読取端末と、複数のＷＥＢページと、を有するキャンペーンシステムであって、前記抽選媒体は、前記複数のＷＥＢページのいずれかへリンクする抽選情報を有し、かつ、当該抽選情報を隠す隠蔽手段を備えており、前記抽選情報は、アクセス先を組み込んだダイレクトアクセスコードを含み、前記読取端末は、前記抽選情報を読み取ることで前記複数のＷＥＢページのいずれかを表示することを特徴とするキャンペーンシステム。
（２）前記ダイレクトアクセスコードは、階層化二次元コードであることを特徴とする前記（１）記載のキャンペーンシステム。
（３）前記抽選媒体は、ラベルであることを特徴とする前記（１）記載のキャンペーンシステム。
（４）前記隠蔽手段は、隠蔽用塗料であることを特徴とする前記（１）記載のキャンペーンシステム。
（５）前記隠蔽手段は、隠蔽用ラベルであることを特徴とする前記（１）記載のキャンペーンシステム。
（６）アクセス先を組み込んだダイレクトアクセスコードを含む抽選情報を有し、かつ、当該抽選情報を隠す隠蔽手段を備えることを特徴とする抽選媒体。
（７）前記ダイレクトアクセスコードは、階層化二次元コードであることを特徴とする前記（６）記載の抽選媒体。
（８）抽選媒体と、読取端末と、複数のＷＥＢページと、を用いるキャンペーン方法であって、前記抽選媒体は、前記複数のＷＥＢページのいずれかへリンクする抽選情報を有し、かつ、当該抽選情報を隠す隠蔽手段を備えており、前記抽選情報は、アクセス先を組み込んだダイレクトアクセスコードを含み、前記抽選媒体の隠蔽手段を解除して前記抽選情報を読み取り可能にする解除工程と、前記読取端末により、前記抽選情報を読み取って前記複数のＷＥＢページのいずれかへアクセスする読取工程と、を有することを特徴とするキャンペーン方法。
（９）さらに、認証情報を入力する入力工程を有することを特徴とする前記（８）記載のキャンペーン方法。
【発明の効果】
【００１７】
本発明によれば、運営者がホストコンピュータやシステムを準備することなく、応募者も瞬時に当落の判定を知ることができるキャンペーンシステム、抽選媒体およびキャンペーン方法を提供することができる。
【００１８】
また、成りすましを防ぐ必要がなくなるので、認証番号を無くしたり、簡素な番号を用いたりすることもできる。
【図面の簡単な説明】
【００１９】
【図１】本発明のキャンペーンシステムを示す模式図
【図２】本発明のキャンペーン方法を示す模式図
【図３】本発明の抽選媒体を示す模式図
【図４】従来のキャンペーンシステムを示す模式図
【図５】従来のキャンペーン方法を示す模式図
【発明を実施するための形態】
【００２０】
以下、図１〜図３を用いて、本発明のキャンペーンシステム、抽選媒体およびキャンペーン方法の実施の形態を説明する。
【実施例１】
【００２１】
図１は、本発明のキャンペーンシステムを示す模式図である。
【００２２】
１３Ａは、アクセス先を組み込んだダイレクトアクセスコードである。
従来技術と同じ構成には同じ符号を付し、詳細な説明を省略する。
なお、抽選媒体１０は、隠蔽手段１２の裏側に抽選情報１１を印刷等することで、抽選情報１１と隠蔽手段１２とを一体化してもよい。この場合、隠蔽手段１２は隠蔽用塗料となる。
また、複数のＷＥＢページ４０は、当選ページ４１が複数あって落選ページ４２がなくてもよいし、当選ページ４１も落選ページ４２もどちらも複数あってもよい。
【００２３】
本発明のキャンペーンシステムは、抽選媒体１０と、読取端末２０と、複数のＷＥＢページ４０と、を有するキャンペーンシステムであって、抽選媒体１０は、複数のＷＥＢページ４０のいずれかへリンクする抽選情報を有し、かつ、当該抽選情報を隠す隠蔽手段１２を備えており、抽選情報は、アクセス先を組み込んだダイレクトアクセスコード１３Ａを含み、読取端末２０は、抽選情報を読み取ることで複数のＷＥＢページ４０のいずれかを表示することを特徴とする。
【００２４】
ダイレクトアクセスコード１３Ａとは、読取端末２０で読み取ってリンク先のＷＥＢページへアクセスするとページの表示はされるが、当該ＷＥＢページのアドレスは表示されず、元データがどこに保管されているのか知ることができないコードを意味する。
【００２５】
ダイレクトアクセスコードとしては、例えば、特許４７６１４００号に示されるような階層化二次元コードなどを用いることが好ましい。
ただし、本発明はこれに限られるものではない。
【００２６】
ダイレクトアクセスコード１３Ａを用いれば、サーバーを経由することなく結果を示す複数のＷＥＢのページ４０へアクセスできるので、運営者がホストコンピュータやシステムを準備する必要がない。
【００２７】
また、サーバーへのアクセスが無くなるので、応募者も瞬時に当落を知ることができる。
【００２８】
また、ダイレクトアクセスコード１３Ａのアクセス先へアクセスできるのは、抽選媒体１０を持っている応募者だけである。
したがって、成りすましを防ぐ必要がなくなり、認証番号１４を無くしたり簡素な番号を用いたりすることもできる。
また、例えば、ダイレクトアクセスコード１３Ａに組み込まれているアクセス先のアドレスを圧縮した状態としておき、認証番号により解凍するようにしてもよい。
【００２９】
図２は、本発明のキャンペーン方法を示す模式図である。
従来技術と同じ構成には同じ符号を付し、詳細な説明を省略する。
【００３０】
本発明のキャンペーン方法は、抽選媒体１０と、読取端末２０と、複数のＷＥＢページ４０と、を用いるキャンペーン方法であって、抽選媒体１０は、複数のＷＥＢページ４０のいずれかへリンクする抽選情報を有し、かつ、当該抽選情報を隠す隠蔽手段１２を備えており、抽選情報は、アクセス先を組み込んだダイレクトアクセスコード１３Ａを含み、抽選媒体１０の隠蔽手段１２を解除して抽選情報を読み取り可能にする解除工程Ｓ１と、読取端末２０により、抽選情報を読み取って複数のＷＥＢページ４０のいずれかへダイレクトにアクセスする読取工程Ｓ２と、を有することを特徴とする。
【００３１】
さらに、本発明のキャンペーン方法は、認証情報を入力する入力工程Ｓ３を有してもよい。
なお、認証番号を入力する入力工程は省くこともできるし、簡素な認証番号を用いることもできる。
【００３２】
本発明のキャンペーン方法によれば、サーバーによる当落の判定工程を経る必要がなく、応募者は、瞬時に当落を知ることができる。
【００３３】
また、入力工程は省いたり、簡素な認証番号を用いたりすることで、応募者の手間を軽減することもできる。
【００３４】
図３は、本発明の抽選媒体を示す模式図である。
５０は、抽選媒体１０を貼る商品などの被着体である。
なお、５０は必ずしも必要ではなく、抽選媒体１０自体を抽選券として配布することもできる。
【００３５】
本発明の抽選媒体１０は、アクセス先を組み込んだダイレクトアクセスコード１３Ａを含む抽選情報を有し、かつ、抽選情報を隠す隠蔽手段１２を備えることを特徴とする。
ダイレクトアクセスコード１３Ａは、階層化二次元コードであることが好ましい。
【００３６】
抽選媒体１０は、二層ラベルや両面ラベルを用いることが好ましい。
【００３７】
また、抽選媒体１０は、擬似粘着層を有することが好ましい。
隠蔽手段１２と抽選情報１１との間に用いたり、抽選媒体１０と被着体５０との間に用いることで、一度剥がされるとそれが分かり、不正応募を防止できる。
【００３８】
また、隠蔽手段１２があることで、被着体５０を店頭に陳列していても、商品を購入することなく不正応募することはできない。
【産業上の利用可能性】
【００３９】
以上のように、本発明によれば、運営者側がホストコンピュータやシステムを準備することなく、商品購入者側も瞬時に当落の判定を知ることができるキャンペーンシステム、抽選媒体およびキャンペーン方法を提供することができる。
【符号の説明】
【００４０】
１０  抽選媒体
１１  抽選情報
１２  隠蔽手段
１３  コード
１３Ａ  ダイレクトアクセスコード
１４  識別情報
２０  読取端末
３０  サーバー
４０  複数のＷＥＢページ
４１  当選ページ
４２  落選ページ
【図１】
2014157581.tif 000003
【図２】
2014157581.tif 000004
【図３】
2014157581.tif 000005
【図４】
2014157581.tif 000006
【図５】
2014157581.tif 000007